(57)【要約】【課題】付属の手洗装置のメンテナンスが行いやすいトイレキャビネットを提案する。【解決手段】トイレキャビネット１は、キャビネット本体４と、手洗装置７と、扉パネル８と、カウンター１１と、キャビネット本体４に設けられる受け具１６と、手洗装置７に設けられる引掛け部７００を備える。扉パネル８は、手洗装置７の横に並ぶ閉位置と、手洗装置７から離れた開位置との間で移動自在である。カウンター１１は、手洗装置７の上に位置する。手洗装置７は、扉パネル８が開位置にあるときには、受け具１６に引掛け部７００が引っ掛かる取付位置と、受け具１６から引掛け部７００が離れた取り外し位置との間で、横方向に移動可能である。手洗装置７は、扉パネル８が閉位置にあるときには、取付位置から取り外し位置への移動が、扉パネル８に当たることで不可とされる。【選択図】図６
2018175111.tif 000002
【特許請求の範囲】
【請求項１】
トイレルームの壁に沿うように、前記壁の前方に設置されるキャビネット本体と、
前記キャビネット本体の前側に取り付けられる手洗装置と、
前記キャビネット本体の前側に取り付けられ、前記手洗装置の横に並ぶ閉位置と、前記閉位置よりも前記手洗装置から離れた開位置との間で移動自在な扉パネルと、
前記手洗装置の上に位置するように、前記キャビネット本体に設けられたカウンターと、
前記キャビネット本体に設けられた受け具と、
前記受け具に引っ掛けることができるように、前記手洗装置に設けられた引掛け部と、を備え、
前記手洗装置は、
前記扉パネルが開位置にあるときには、前記受け具に前記引掛け部が引っ掛かる取付位置と、前記受け具から前記引掛け部が離れた取り外し位置との間で、横方向に移動可能であり、
前記扉パネルが閉位置にあるときには、前記取付位置から前記取り外し位置への移動が、前記扉パネルに当たることで不可とされることを特徴とするトイレキャビネット。
【請求項２】
前記手洗装置に設けられた固定部をさらに含み、
前記固定部は、前記キャビネット本体に着脱自在に固定されることを特徴とする請求項１に記載のトイレキャビネット。
【請求項３】
前記手洗装置は、水栓と、前記水栓を制御する制御装置とを有し、
前記制御装置は、前記キャビネット本体内に収納されることを特徴とする請求項１または２に記載のトイレキャビネット。
【請求項４】
前記手洗装置は、排水管と給水管とをさらに有し、
前記排水管は、便器の排水構造に対して着脱自在に接続されるねじ式接続部を含み、
前記給水管は、前記制御装置に対して着脱自在に接続されるねじ式接続部を含むことを特徴とする請求項３に記載のトイレキャビネット。
【発明の詳細な説明】
【技術分野】
【０００１】
本発明は、トイレキャビネットに関する。
【背景技術】
【０００２】
特許文献１には、トイレルームの壁面に沿うように配置されるキャビネットが記載されている。
【０００３】
特許文献１に記載のキャビネットは、上面にカウンターが装着されており、カウンターの下方に位置するように、手洗い器が埋め込まれている。手洗い器は、手動水栓を有している。
【先行技術文献】
【特許文献】
【０００４】
【特許文献１】特開平７−３１３号公報
【発明の概要】
【発明が解決しようとする課題】
【０００５】
ところで、近年、手洗い器として、自動水栓等の電気機器を有するものが増え、手洗い器のメンテナンスの必要性が高まっている。
【０００６】
上記事情に鑑みて、本発明は、付属の手洗装置のメンテナンスが行いやすいトイレキャビネットを提案することを、目的とする。
【課題を解決するための手段】
【０００７】
本発明に係る一態様のトイレキャビネットは、キャビネット本体と、手洗装置と、扉パネルと、カウンターと、受け具と、引掛け部と、を備える。
【０００８】
前記キャビネット本体は、トイレルームの壁に沿うように、前記壁の前方に設置される。前記手洗装置は、前記キャビネット本体の前側に取り付けられる。前記扉パネルは、前記キャビネット本体の前側に取り付けられ、前記手洗装置の横に並ぶ閉位置と、前記閉位置よりも前記手洗装置から離れた開位置との間で移動自在である。前記カウンターは、前記手洗装置の上に位置するように、前記キャビネット本体に設けられる。前記受け具は、前記キャビネット本体に設けられる。前記引掛け部は、前記受け具に引っ掛けることができるように、前記手洗装置に設けられる。
【０００９】
前記手洗装置は、前記扉パネルが開位置にあるときには、前記受け具に前記引掛け部が引っ掛かる取付位置と、前記受け具から前記引掛け部が離れた取り外し位置との間で、横方向に移動可能である。
【００１０】
前記手洗装置は、前記扉パネルが閉位置にあるときには、前記取付位置から前記取り外し位置への移動が、前記扉パネルに当たることで不可とされる。
【発明の効果】
【００１１】
本発明によれば、付属の手洗装置のメンテナンスが行いやすいトイレキャビネットを提案することができる。
【図面の簡単な説明】
【００１２】
【図１】図１は、本発明に係る実施形態１のトイレキャビネットを示す斜視図である。
【図２】図２は、同上のトイレキャビネットを示す平面図である。
【図３】図３Ａは、同上のトイレキャビネットを示す背面図であり、後板の図示を省略した図である。図３Ｂは、図３ＡのＡ部分の拡大斜視図である。
【図４】図４は、同上のトイレキャビネットから手洗装置を外した状態を示す斜視図である。
【図５】図５は、同上のトイレキャビネットから手洗装置を取り外す第一工程を示す正面図である。
【図６】図６は、同上のトイレキャビネットから手洗装置を取り外す第二工程を示す正面図である。
【図７】図７は、同上のトイレキャビネットから手洗装置を取り外す第三工程を示す正面図である。
【発明を実施するための形態】
【００１３】
（実施形態１）
図１及び図２には、実施形態１のトイレキャビネット１（以下「キャビネット１」と記載する）が示されている。キャビネット１は、トイレルームの１つの壁２に沿うように、壁２の前方に設置される。本明細書においては、図１に示す設置状態を基準として、壁２に対してトイレキャビネット１が位置する側を前方とし、その反対側を後方とし、平面視において壁２に沿った方向を左右方向として、各構成について説明する。各図において、矢印Ｘで示す方向が前方であり、矢印Ｙで示す方向が右方であり、矢印Ｚで示す方向が上方である。
【００１４】
壁２の前方の床には、便器３が設置される。キャビネット１は、壁２と便器３の間の床に載せ置かれる。便器３は、例えば、腰掛式のタンクレスの水洗便器である。便器３は、床に設けられた下水管（図示せず）に接続されている。便器３は、利用者が壁２側に背を向けて座る向きに設置されている。キャビネット１は、壁２と便器３と間の狭いスペースに配置されている。
【００１５】
キャビネット１は、内部に収納空間Ｓ１を有するキャビネット本体４と、第一前パネル５と、第二前パネル６と、手洗装置７と、扉パネル８と、下第一前パネル９と、下第二前パネル１０と、カウンター１１と、サイドパネル１２を備える。
【００１６】
キャビネット１はさらに、キャビネット本体４の前側に第一前パネル５を取り付けるための部材として、受け具１３、引掛け具１４、及び第二引掛け具１５を備える。キャビネット１はさらに、キャビネット本体４の前側に手洗装置７を取り付けるための部材として、第二受け具１６及び固定具１７を備える（図４参照）。
【００１７】
まず、キャビネット本体４について説明する。
【００１８】
キャビネット本体４は、前方に開放された箱状である。図３Ａには、キャビネット本体４を後側から視た図が示されている。この図では、キャビネット本体４が有する後板４０（図１参照）の図示が省略されている。
【００１９】
キャビネット本体４は、後板４０と、一対の側板４１，４２と、天板４３と、底板４４とを有する。一対の側板４１，４２、天板４３、及び底板４４は、矩形枠状に組み立てられている。後板４０、一対の側板４１，４２、天板４３、及び底板４４で囲まれる空間が、前方に開放される収納空間Ｓ１である。
【００２０】
キャビネット本体４は、収納空間Ｓ１を複数の空間に分ける複数の仕切板をさらに有する。複数の仕切板は、収納空間Ｓ１を上側の空間と下側の空間に分ける第一横板４５及び第二横板４６と、上側の空間を左右に分ける第一縦板４７と、下側の空間の下部を左右に分ける第二縦板４８と、第二縦板４８と側板４１の間に架け渡される第三横板４９とを含む。横板４５，４６，４９のそれぞれは、天板４３及び底板４４に対して平行である。縦板４７，４８のそれぞれは、側板４１，４２に対して平行である。第二横板４６は、第一横板４５の下に重なっている。
【００２１】
収納空間Ｓ１は、上第一空間Ｓ２、上第二空間Ｓ３、下第一空間Ｓ４、及び下第二空間Ｓ５を含む。上第一空間Ｓ２は、後板４０と天板４３と第一横板４５と一対の側板４１，４２で囲まれる空間のうち、第一縦板４７よりも側板４２側の空間である。上第二空間Ｓ３は、後板４０と天板４３と第一横板４５と一対の側板４１，４２で囲まれる空間のうち、第一縦板４７よりも側板４１側の空間である。
【００２２】
下第一空間Ｓ４は、後板４０と、第二横板４６と、側板４２と、側板４１の上半部（第三横板４９よりも上側の部分）と、底板４４の左半部（第二縦板４８よりも側板４１側の部分）と、第二縦板４８と、第三横板４９とで囲まれた空間である。下第二空間Ｓ５は、後板４０と、側板４１の下半部（第三横板４９よりも下側の部分）と、底板４４の右半部（第二縦板４８よりも側板４２側の部分）と、第二縦板４８と、第三横板４９とで囲まれた空間である。
【００２３】
続いて、第一前パネル５について説明する。
【００２４】
図１、図３Ａに示すように、第一前パネル５は、下第一空間Ｓ４のうち、下第二空間Ｓ５よりも上方の左側の領域を前側から塞ぐように、キャビネット本体４に着脱自在に取り付けられる。第一前パネル５は、例えば、表面に防水加工が施された木質の板材である。第一前パネル５の前方には便器３が位置し、第一前パネル５と便器３との間は狭いスペースとなっている。
【００２５】
第一前パネル５は、矩形板状であり、下端部に切欠き５０を有する。切欠き５０は、第一前パネル５の下端部の左右方向の中央部分に位置する。切欠き５０は、第一前パネル５の下端部を前後方向に貫通するとともに、下方に向けて開口している。
【００２６】
続いて、第二前パネル６について説明する。
【００２７】
第二前パネル６は、下第一空間Ｓ４のうち、下第二空間Ｓ５よりも上方の右側の領域を前側から塞ぐように、キャビネット本体４に着脱自在に取り付けられる。下第一空間Ｓ４のうち下第二空間Ｓ５よりも上方の領域は、第一前パネル５と第二前パネル６によって左右方向に亘って塞がれる。第二前パネル６の前方には便器３が位置しない空きスペースとなっている。
【００２８】
第二前パネル６は、前後方向に着脱可能に、キャビネット本体４に取り付けられる。第二前パネル６は、例えば、面ファスナーによって、キャビネット本体４に取り付けられる。
【００２９】
第二前パネル６は、上端部に前方に突出した箱状の突出カバー部６０を有する。突出カバー部６０は、第二前パネル６の上端部の左右方向の中央部分に位置する。突出カバー部６０は、後方及び上方に開口した箱状である。第二前パネル６のうち、突出カバー部６０を除いた残りの部分は、略矩形板状である。第二前パネル６は、左右方向の長さが、第一前パネル５よりも短く、上下方向の長さが、第一前パネル５と同じである。第二前パネル６は、例えば、樹脂成型品である。
【００３０】
続いて、手洗装置７について説明する。
【００３１】
手洗装置７は、上第二空間Ｓ３を前側から塞ぐように、キャビネット本体４に着脱可能に取り付けられている。図１、図４に示すように、手洗装置７は、扁平な矩形の箱状のベース部７０と、ベース部７０の下部から前方に延長されたボウル部７１と、水栓７２と、人感センサー（図示せず）と、制御装置７３と、給水管７４と、排水管７５とを有する。
【００３２】
ベース部７０は、上端部の後側に左右一対の引掛け部７００を有し、下端部の後側に左右一対の固定部７０１を有する。ベース部７０はさらに、給水管７４が挿通される挿通孔７０２と、水栓７２の固定に用いられる左右一対の固定孔７０３を有する。
【００３３】
ボウル部７１は、底部に、排水孔（図示せず）と、排水孔の孔縁から下方に延長されたＬ字状の排水筒７１０とを有する。排水筒７１０の下流端は、後方に向けて開口している。ベース部７０とボウル部７１は、例えば、樹脂成型品である。
【００３４】
水栓７２は、吐水口７２０と、操作レバー７２１とを有する。水栓７２は、ベース部７０の前面に着脱自在に取り付けられている。水栓７２は、ベース部７０の背面側から左右一対の固定孔７０３に打ち込まれたねじ等の固定部材７６によって、ベース部７０の前面に取り付けられている。なお、水栓７２は、操作レバー７２１を有さなくてもよい。
【００３５】
人感センサーは、水栓７２に内蔵されている。人感センサーは、例えば、水栓７２の吐水口７２０に近づいた物体（利用者の手等）の有無を検知する。
【００３６】
制御装置７３は、電磁弁と、人感センサーの検知結果に応じて電磁弁の開閉を制御する制御回路とを有する。電磁弁と制御回路は、制御装置７３の筐体７３０内に収納されている。制御装置７３は、ビス等の固定部材によって、キャビネット本体４に取り付けられる。制御装置７３は、キャビネット本体４に対して着脱自在である。制御装置７３は、下第一空間Ｓ４のうち、第二前パネル６によって塞がれる空間に配されている。電磁弁には、上水道からの水が供給される。
【００３７】
給水管７４は、一端（下流端）が水栓７２に接続され、他端（上流端）が制御装置７３の電磁弁に着脱自在に接続される。給水管７４は、フレキシブルな管７４０（例えばホース）と、その他端（上流端）に設けられたねじ式接続部７４１を有する。
【００３８】
ねじ式接続部７４１は、円筒状であり、内周面にねじ溝を有し、外周面に滑り止め用の凹凸を有する。ねじ式接続部７４１を回転操作することによって、給水管７４は電磁弁に対して簡単に着脱させることができる。
【００３９】
排水管７５は、上流側に位置する封水用のトラップ部７５０と、トラップ部７５０よりも下流側に位置する蛇腹状の変形部７５１と、下流端に位置するねじ式接続部７５２を有する。排水管７５は、上流端が手洗装置７の排水筒７１０に接続され、下流端が便器３の排水構造に着脱自在に接続される。排水管７５は、下第一空間Ｓ４のうち、第一前パネル５によって塞がれる空間と第二前パネル６によって塞がれる空間に亘るように配されている。
【００４０】
ねじ式接続部７５２を回転操作することによって、排水管７５は便器３の排水構造に対して簡単に着脱させることができる。便器３の排水構造とは、便器３に内蔵され、外部の下水管に接続されるトラップケースであり、トラップケースには可動式の排水トラップが封水姿勢と止水姿勢とを切替できるように収納されている。手洗装置７の排水は、便器３の排水構造を介して外部の下水管へと排水される。排水管７５は、変形部７５１を有することで、下流端に対する上流端の位置の変更が可能である。
【００４１】
続いて、扉パネル８について説明する。
【００４２】
扉パネル８は、上第一空間Ｓ２を開閉するように、キャビネット本体４の前側に取り付けられる。扉パネル８は、手洗装置７のベース部７０の横に並ぶ閉位置（図５参照）と、閉位置よりも手洗装置７のベース部７０から離れた開位置（図６参照）との間で移動自在である。扉パネル８が開位置にあるとき、ベース部７０の横には、ベース部７０の横方向の移動を許容するスペースが形成される。扉パネル８が閉位置にあるとき、ベース部７０の横には扉パネル８が位置して、扉パネル８に当たることで、ベース部７０の横方向の移動は不可となる。
【００４３】
本実施形態では、扉パネル８は、矩形板状である。扉パネル８は、その左端部を中心にして全体が回転するように、キャビネット本体４に取り付けられている。扉パネル８は、例えば、表面に防水加工が施された木質の板材である。
【００４４】
続いて、下第一前パネル９について説明する。
【００４５】
図１、図３Ａに示すように、下第一前パネル９は、下第一空間Ｓ４のうち、下第二空間Ｓ５の側方の左端の領域を塞ぐように、キャビネット本体４に取り付けられる。下第一前パネル９は、矩形板状であり、例えば、表面に防水加工が施された木質の板材である。下第一前パネル９の左右幅は、第一前パネル５のうち、切欠き５０よりも左側の部分の左右幅と同じである。下第一前パネル９は、キャビネット本体４の左の側板４２と底板４４のそれぞれに対して、ダボ等を介して取り付けられる。
【００４６】
続いて、下第二前パネル１０について説明する。
【００４７】
下第二前パネル１０は、下第二空間Ｓ５を塞ぐように、キャビネット本体４に取り付けられる。下第二前パネル１０は、矩形板状であり、例えば、表面に防水加工が施された木質の板材である。下第二前パネル１０の左右幅は、第一前パネル５のうち切欠き５０よりも右側の部分の左右幅と、第二前パネル６の左右幅を足し合わせた長さと同じである。下第二前パネル１０は、キャビネット本体４の右の側板４１と底板４４と第二縦板４８と第三横板４９のそれぞれに対して、ダボ等を介して取り付けられる。
【００４８】
下第二前パネル１０と下第一前パネル９とは、左右方向に離れて位置するようにキャビネット本体４に取り付けられる。下第二前パネル１０と下第一前パネル９の間からは、下第一空間Ｓ４と後板４０が露出する。
【００４９】
続いて、カウンター１１について説明する。
【００５０】
カウンター１１は、キャビネット本体４の天板４３の上に取り付けられる。カウンター１１は、左右方向を長手方向とする矩形板状であり、例えば、表面に防水加工が施された木質の板材である。カウンター１１の前端部は、天板４３の前端よりも前方に位置する。
【００５１】
続いて、サイドパネル１２について説明する。
【００５２】
サイドパネル１２は、キャビネット本体４の左の側板４２の左面に取り付けられる。サイドパネル１２は、上下方向を長手方向とする矩形板状であり、例えば、表面に防水加工が施された木質の板材である。サイドパネル１２の前端部は、側板４２の前端よりも前方に位置する。
【００５３】
続いて、第一受け具１３について説明する。
【００５４】
図３Ａ、図３Ｂに示すように、第一受け具１３は、キャビネット本体４に取り付けられる。第一受け具１３は、引掛け具１４を引っ掛けることができるように構成されている。
【００５５】
本実施形態では、第一受け具１３は、キャビネット本体４の第二横板４６の下面に固定される矩形板状の固定部１３０と、固定部１３０から下方に延長されたフック部１３１とを有する。
【００５６】
フック部１３１は、矩形板状の固定部１３０の前端から垂下するように延長された垂下片部１３２と、垂下片部１３２の下端から前方に延長された底片部１３３と、底片部１３３の前端から上方に延長された折り返し片部１３４とを有する。垂下片部１３２と折り返し片部１３４は、互いに平行であり、底片部１３３は、固定部１３０に対して平行である。フック部１３１は、垂下片部１３２と底片部１３３と折り返し片部１３４で囲まれて形成される差込溝１３５を有する。差込溝１３５は、上方及び左右方向に開放された溝である。
【００５７】
第一受け具１３は、例えば、金属製であり、一つの帯状の金属板を折り曲げ加工するなどして形成される。なお、第一受け具１３は、樹脂製であってもよい。
【００５８】
本実施形態では、第二横板４６の下面に、左右一対の第一受け具１３が固定されている。左右一対の第一受け具１３は、左右方向に距離をおいて位置する。
【００５９】
続いて、引掛け具１４について説明する。
【００６０】
引掛け具１４は、第一前パネル５に取り付けられる。本実施形態では、引掛け具１４は、第一前パネル５の上端部の後面に固定される矩形板状の固定部１４０と、固定部１４０から後方に延長されたＬ字状の引掛け片部１４１とを有する。
【００６１】
引掛け片部１４１は、矩形板状の固定部１４０の上端から後方に延長された上片部１４２と、上片部１４２の後端から下方に延長された差込片部１４３とを有する。固定部１４０と差込片部１４３は、互いに平行である。
【００６２】
引掛け具１４は、例えば、金属製であり、一つの帯状の金属板を折り曲げ加工するなどして形成される。なお、引掛け具１４は、樹脂製であってもよい。
【００６３】
本実施形態では、第一前パネル５の後面の上端部の右端部と左端部にそれぞれ、引掛け具１４が１つずつ固定されている。左右一対の引掛け具１４の配置は、左右一対の受け具１３の配置に対応している。
【００６４】
続いて、第二引掛け具１５について説明する。
【００６５】
図１、図３Ａに示すように、第二引掛け具１５は、第一前パネル５の下端部の後面に、第一前パネル５よりも下方に突出するように取り付けられる。本実施形態では、第二引掛け具１５は、矩形板状である。第二引掛け具１５は、例えば、金属製である。なお、第二引掛け具１５は、樹脂製であってもよい。
【００６６】
本実施形態では、第一前パネル５の下端部の後面のうち、切欠き５０よりも右側の部分の左右方向の中央部と、切欠き５０よりも左側の部分の左右方向の中央部にそれぞれ、第二引掛け具１５が１つずつ固定されている。
【００６７】
続いて、第二受け具１６について説明する。
【００６８】
図４に示すように、第二受け具１６は、キャビネット本体４に取り付けられる。第二受け具１６は、手洗装置７の左右一対の引掛け部７００を引っ掛けることができるように構成されている。
【００６９】
第二受け具１６は、キャビネット本体４に固定される板状の固定部１６０と、固定部１６０の左右の端部から斜め前上方に延長された左右一対の受け片部１６１とを有する。第二受け具１６は、例えば、金属製であり、一つの鋼板を折り曲げ加工するなどして形成される。なお、第二受け具１６は、樹脂製であってもよい。
【００７０】
本実施形態では、右の側板４１の上端部と第一縦板４７の上端部の間に、矩形板状の取付板１８が架け渡されるように固定されており、この取付板１８の前面に第二受け具１６が固定されている。
【００７１】
続いて、固定具１７について説明する。
【００７２】
固定具１７は、キャビネット本体４に取り付けられる。固定具１７は、手洗装置７の左右一対の固定部７０１を固定することができるように構成されている。
【００７３】
固定具１７は、キャビネット本体４の第一横板４５の上面に固定される矩形板状の固定部１７０と、固定部１７０の前端から下方に延長された垂下片部１７１とを有する。各垂下片部１７１は、ねじ等の固定部材１９（図５参照）が挿入される挿通孔１７２を有する。
【００７４】
本実施形態では、キャビネット本体４の第一横板４５の上面のうち、第一縦板４７よりも右側の部分に、左右一対の固定具１７が固定される。左右一対の固定具１７の間隔は、手洗装置７の左右一対の固定部７０１の間隔と同じである。各固定具１７の垂下片部１７１は、第一横板４５と第二横板４６の前方に亘るように位置し、挿通孔１７２は第二横板４６の前方に位置する。
【００７５】
図１に示す本実施形態のキャビネット１では、第一前パネル５は、左右一対の引掛け具１４が左右一対の受け具１３に一対一に引っ掛かることで、第一前パネル５の上端部が、キャビネット本体４に対して吊り支持された状態で取り付けられている。
【００７６】
第一前パネル５は、取付状態において、左側の第二引掛け具１５が下第一前パネル９の上端部の後方に位置し、右側の第二引掛け具１５が下第二前パネル１０の上端部の後方に位置し、第一前パネル５の下端部が第二縦板４８の上端部の前方に位置する。これにより、第一前パネル５の下端部は、前後方向の位置ずれが規制されている。
【００７７】
第一前パネル５は、上第一空間Ｓ２を閉じる位置にあるときの扉パネル８の真下に位置する。第一前パネル５の下方には、切欠き５０の下方に、下第一前パネル９と下第二前パネル１０の間の空間が並ぶように、下第一前パネル９と下第二前パネル１０が位置する。
【００７８】
第一前パネル５の左方には、サイドパネル１２の前端部が位置し、第一前パネル５の右方には、第二前パネル６が位置する。第一前パネル５は、側方（右方）への移動が、第二前パネル６に当たることで不可とされる。
【００７９】
第二前パネル６は、手洗装置７のベース部７０の真下に位置し、突出カバー部６０内に手洗装置７の排水筒７１０が収まっている。第二前パネル６は、面ファスナーを介して、キャビネット本体４に着脱自在に取り付けられている。
【００８０】
キャビネット１は、キャビネット本体４の右面が、壁２の右側に直角に並ぶ他の壁２０に当たるように設置されている。第一前パネル５の前方に、便器３が位置し、第二前パネル６の前方は、便器３が位置しない空きスペースとなる。
【００８１】
手洗装置７は、左右一対の引掛け部７００が、第二受け具１６の左右一対の受け片部１６１に引っ掛かって支持され、左右一対の固定部７０１がねじ等の固定部材１９で左右一対の固定具１７に固定されている（図５，図６参照）。
【００８２】
手洗装置７のベース部７０の左方には、上第一空間Ｓ２を塞ぐ閉位置にあるときの扉パネル８が位置し、ベース部７０の右方には、壁２０が位置する。手洗装置７は、側方（左方）への移動が、ベース部７０が扉パネル８に当たることと、固定部材１９による固定具１７への固定によって、不可とされる。
【００８３】
続いて、キャビネット１から手洗装置を取り外す各工程の一例を順に説明する。
【００８４】
図５に示すように、まず、キャビネット本体４から、第一前パネル５と第二前パネル６を取り外す。次いで、手洗装置７の左右一対の固定部７０１から、固定部材１９を取り外す。
【００８５】
次いで、図６に示すように、扉パネル８を開き、扉パネル８を閉位置から開位置へと移動させる。扉パネル８を開位置へと移動させることで、手洗装置７のベース部７０の側方（左方）には、手洗装置７の横方向の移動を許容するスペースが形成される。
【００８６】
次いで、図７に示すように、手洗装置７を側方（左方）に移動させる。これにより、第二受け具１６の左右一対の受け片部１６１から、手洗装置７の左右一対の引掛け部７００が外れる。この手洗装置７の移動の際、ホースで主体が構成される給水管７４と、一部に変形部７５１を有する排水管７５は、変形可能であり、給水管７４が制御装置７３の電磁弁から外れたり、排水管７５が便器３の排水構造から外れたりすることを防ぐことができる。
【００８７】
次いで、手洗装置７を前方に引き出して、キャビネット本体４から取り外す。このとき、ねじ式接続部７４１を回転操作することによって、給水管７４を制御装置７３の電磁弁から簡単に取り外すことができる。また、ねじ式接続部７５２を回転操作することによって、排水管７５を便器３の排水構造から簡単に取り外すことができる。なお、手洗装置７の取り付けは、上述した工程とは逆の工程によって行える。
【００８８】
以上のように本実施形態のキャビネット１では、手洗装置７をキャビネット本体４から取り外すことができる。そのため、本実施形態のキャビネット１では、手洗装置７のメンテナンスが行いやすい。
【００８９】
さらに、本実施形態のキャビネット１では、手洗装置７は、横方向に移動させることで引っ掛かった状態を解除することができるため、カウンター１１をキャビネット本体４に装着したまま手洗装置７を取り外す作業が行えて、取り外しが容易である。
【００９０】
（変更例）
続いて、実施形態１のキャビネット１の変更例について説明する。
【００９１】
扉パネル８は、手洗装置７のベース部７０の横に並ぶ閉位置と、閉位置よりもベース部７０から離れた開位置との間で移動自在に設けられればよく、開き戸に限らず、引き戸や折れ戸であってもよいし、キャビネット本体４に対して着脱自在であってもよい。
【００９２】
第二受け具１６と引掛け部７００は、引掛け部７００の横方向の移動を許容するように引っ掛けることができる構造であればよく、上述した形状及び取付位置に限らず、適宜変更可能である。
【００９３】
手洗装置７は、固定部７０１を備えなくてもよく、第二受け具１６による支持だけて、キャビネット本体４に取り付けられてもよい。
【００９４】
キャビネット１は、固定具１７を備えなくてもよく、手洗装置７の固定部７０１は、キャビネット本体４に固定部材１９で直接固定されてもよい。
【００９５】
手洗装置７の制御装置７３は、給水管７４に供給される水を温めるヒーターを有してもよい。
【００９６】
キャビネット１は、壁２と便器３と間の狭いスペースに限らず、トイレルームのその他の壁の手前に沿うように配されてもよい。
【００９７】
手洗装置７の排水管７５は、ねじ式接続部７５２を有さなくてもよく、また、給水管７４は、ねじ式接続部７４１を有さなくてもよい。
【００９８】
第一前パネル５は、横方向に移動させることで、キャビネット本体４に対して引っ掛かる状態が解除される構造に限らず、第二前パネル６と同様に、前後に着脱される構造であってもよい。
【００９９】
（効果）
以上説明した実施形態１及びその変更例のキャビネット１にように、本発明に係る第一の形態のキャビネット１は、第一の特徴として、下記の構成を具備する。
【０１００】
すなわち、第一の形態のキャビネット１は、キャビネット本体４と、手洗装置７と、扉パネル８と、カウンター１１と、受け具１３と、引掛け部７００とを備える。キャビネット本体４は、トイレルームの壁２に沿うように、壁２の前方に設置される。手洗装置７は、キャビネット本体４の前側に取り付けられる。扉パネル８は、キャビネット本体４の前側に取り付けられ、手洗装置７の横に並ぶ閉位置と、閉位置よりも手洗装置７から離れた開位置との間で移動自在である。カウンター１１は、手洗装置７の上に位置するように、キャビネット本体４に設けられる。受け具１３は、キャビネット本体４に設けられる。引掛け部７００は、受け具１３に引っ掛けることができるように、手洗装置７に設けられる。
【０１０１】
手洗装置７は、扉パネル８が開位置にあるときには、受け具１３に引掛け部７００が引っ掛かる取付位置と、受け具１３から引掛け部７００が離れた取り外し位置との間で、横方向に移動可能である。
【０１０２】
手洗装置７は、扉パネル８が閉位置にあるときには、取付位置から取り外し位置への移動が、扉パネル８に当たることで不可とされる。
【０１０３】
上記の第一の特徴を具備することで、第一の形態のキャビネット１では、扉パネル８を開位置に移動させることによって形成されるスペースを利用して、手洗装置７を横方向に移動させて、引掛け部７００が受け具１３に引っ掛かる状態を解除することができる。
【０１０４】
このとき、第一の形態のキャビネット１では、手洗装置７の上に位置するカウンター１１を、キャビネット本体４から取り外す施工が不要であり、手洗装置７の付け外しを容易に行うことができる。また、第一の形態のキャビネット１では、手洗装置７の付け外しが容易に行えることで、手洗装置７のメンテナンスが行いやすい。
【０１０５】
また、本発明に係る第二の形態のキャビネット１は、第一の特徴に加えて、下記の第二の特徴を具備する。
【０１０６】
すなわち、第二の形態のキャビネット１では、手洗装置７に設けられた固定部７０１をさらに含む。固定部７０１は、キャビネット本体４に着脱自在に固定される。
【０１０７】
上記の第二の特徴を具備することで、第二の形態のキャビネット１では、手洗装置７の固定部７０１をキャビネット本体４に固定することができるため、横方向に移動可能な手洗装置７を安定的にキャビネット本体４に取り付けることができる。
【０１０８】
また、本発明に係る第三の形態のキャビネット１は、第一の特徴及び第二の特徴に加えて、下記の第三の特徴を具備する。
【０１０９】
すなわち、第三の形態のキャビネット１では、手洗装置７は、水栓７２と、水栓７２を制御する制御装置７３と、を有する。制御装置７３は、キャビネット本体４内に収納される。
【０１１０】
上記の第三の特徴を具備することで、第三の形態のキャビネット１では、手洗装置７をキャビネット本体４から外した状態で、制御装置７３のメンテナンスが行えるため、制御装置７３のメンテナンスがしやすい。
【０１１１】
また、本発明に係る第四の形態のキャビネット１は、第一乃至第三の特徴に加えて、下記の第四の特徴を具備する。
【０１１２】
すなわち、第四の形態のキャビネット１では、手洗装置７は、排水管７５と給水管７４をさらに有する。排水管７５は、便器３の排水構造に対して着脱自在に接続されるねじ式接続部７５２を含む。給水管７４は、制御装置７３に対して着脱自在に接続されるねじ式接続部７４１を含む。
【０１１３】
上記の第四の特徴を具備することで、第四の形態のキャビネット１では、排水管７５の便器３の排水構造への付け外しと、給水管７４の制御装置７３への付け外しが簡単に行え、手洗装置７の横方向への移動がさせやすい。
【０１１４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１１５】
１      トイレキャビネット
２      壁
３      便器
４      キャビネット本体
７      手洗装置
７２    水栓
７３    制御装置
７４    給水管
７４１  ねじ式接続部
７５    排水管
７５２  ねじ式接続部
７００  引掛け部
７０１  固定部
８      扉パネル
１１    カウンター
１６    受け具（第二受け具）
【図１】
2018175111.tif 000003
【図２】
2018175111.tif 000004
【図３】
2018175111.tif 000005
【図４】
2018175111.tif 000006
【図５】
2018175111.tif 000007
【図６】
2018175111.tif 000008
【図７】
2018175111.tif 000009